(57)【特許請求の範囲】
【請求項１】
所定間隔を置いて循環移動するバケット１０を複数設けたベルト１１を、上下方向に長いケース１に軸支した上側プーリ５と下側プーリ６との間に掛け回し、ケース１の下方の一方側にはホッパー１３の供給口１４を設け、前記下側プーリ６の上方で、前記ベルト１１の上昇側ベルト２２と下降側ベルト２３との間には、ベルト１１の内面と下側プーリ６の外面との間に穀粒が挟まれて破砕されるのを防止する噛込み防止装置２５の屋根板部３２を設け、屋根板部３２は正面視において下側プーリ６の取付軸２６の中間部が最も高く軸方向に低くなるように傾斜するように山型形状に形成し、前記屋根板部３２は左屋根板部３３と右屋根板部３４との左右に分割形成し、左屋根板部３３と右屋根板部３４は前記各蓋部材３６に夫々取付け、蓋部材３６をケース１の開口部３５に取付けると、左屋根板部３３と右屋根板部３４とが左右側から合わさって山型形状となる構成とし、前記開口部３５は屋根板部３２の左右の両側方のケース１に夫々設け、前記開口部３５には該開口部３５を閉塞する蓋部材３６を、開口部３５の側方から着脱自在に取付け、前記蓋部材３６は、前記開口部３５より大きい面積の縦板部３７の外面側にハンドル３８を設けて構成し、前記各蓋部材３６の縦板部３７の内面に前記屋根板部３２の左屋根板部３３と右屋根板部３４の前縁に夫々固定した前取付板４５を固定状態に夫々取付けたバケットコンベア。
【請求項２】
請求項１において、前記屋根板部３２の上方位置のベルト１１の上昇側ベルト２２の内面側には所定間隔をおいて上側前縦板部５５を設け、上側前縦板部５５はケース１側に固定状態に取付けたバケットコンベア。
【請求項３】
請求項２において、前記左屋根板部３３と右屋根板部３４の前縁に夫々固定した前取付板４５を縦板部３７に固定状態に取付け、前取付板４５と上側前縦板部５５の左右側縁は前記ベルト１１の左右両縁より左右方向の外方に夫々位置する構成としたバケットコンベア。
【請求項４】
請求項１または請求項２または請求項３において、前記左屋根板部３３と右屋根板部３４の何れか一方の上部には何れか他方の上部より上方に位置して他方の屋根板部の上縁を覆う延長部４８を設けたバケットコンベア。
【請求項５】
請求項１またはまたは請求項２または請求項３または請求項４において、前記左屋根板部３３と右屋根板部３４の後縁に夫々固定した後取付板４６を各縦板部３７に固定状態に取付け、後取付板４６の上縁には前側に傾斜する屈曲部４７を設けたバケットコンベア。
【請求項６】
請求項１または請求項２または請求項３または請求項４または請求項５において、前記ケース１の下部の左右の両側には下側開口部６０を夫々設け、該下側開口部６０は前記ケース１の底板２０の両側方に開口するように夫々設け、各下側開口部６０には透明部材により形成した点検窓６２を有する下側蓋部材６１を着脱自在に取付けたバケットコンベア。
【発明の詳細な説明】
【技術分野】
【０００１】
本発明は、バケットコンベアに係るものである。
【背景技術】
【０００２】
従来、バケットを複数設けたベルトを、上下方向に長いケースに軸支した上側プーリと下側プーリとの間に掛け回し、下側プーリの上方で、ベルトの上昇側ベルトと下降側ベルトとの間には、ベルトと下側プーリとの間に穀粒が挟まれて破砕されるのを防止する山形の屋根板部を有する噛込み防止装置を設けた
構成は、公知である（特許文献１）。
公知の噛込み防止装置は、一体状に山型に形成した屋根板部に左右方向の逆Ｕ型の支持部材の下部を取付け、支持部材の上部に左右方向の取付軸を挿入し、取付軸の左右側をケースから突出させてステーに取付けた構成である。
また、山型状の屋根板部を縦板に取付け、この縦板をケースに着脱自在に取付けた構成は、公知である（特許文献２）。
【先行技術文献】
【特許文献】
【０００３】
【特許文献１】実公昭６０−３８５８６号公報
【特許文献２】特開２００２−６８４４６号公報
【発明の概要】
【発明が解決しようとする課題】
【０００４】
前記公知例のうち前者のものは、下側プーリの側方に設けた窓孔より屋根板部を挿入し、屋根板部の支持部材にケース外側から取付軸を手探りで挿入し、この取付軸の左右両端を夫々ステーによりケースに取付ける構成のため、メンテナンスするには、下側プーリおよび屋根板部を着脱する必要があり、点検等のメンテナンスが容易でないという課題がある。
また、屋根板部を着脱するには、ケース全体の分解と、下側プーリの着脱とが必要となって、非常に面倒であるという課題がある。
また、前記公知例のうち後者のものは、下側プーリーを外さずに、屋根板部の着脱は可能であるが、屋根板部を着脱するには、ケース全体を分解する必要があり、メンテナンスが容易でないという課題がある。
本願は、屋根板部の取付構成を工夫し、メンテナンスを容易にしたバケットコンベアを提供するものである。
【課題を解決するための手段】
【０００５】
請求項１の発明は、所定間隔を置いて循環移動するバケット１０を複数設けたベルト１１を、上下方向に長いケース１に軸支した上側プーリ５と下側プーリ６との間に掛け回し、ケース１の下方の一方側にはホッパー１３の供給口１４を設け、前記下側プーリ６の上方で、前記ベルト１１の上昇側ベルト２２と下降側ベルト２３との間には、ベルト１１の内面と下側プーリ６の外面との間に穀粒が挟まれて破砕されるのを防止する噛込み防止装置２５の屋根板部３２を設け、屋根板部３２は正面視において下側プーリ６の取付軸２６の中間部が最も高く軸方向に低くなるように傾斜するように山型形状に形成し、前記屋根板部３２は左屋根板部３３と右屋根板部３４との左右に分割形成し、左屋根板部３３と右屋根板部３４は前記各蓋部材３６に夫々取付け、蓋部材３６をケース１の開口部３５に取付けると、左屋根板部３３と右屋根板部３４とが左右側から合わさって山型形状となる構成とし、前記開口部３５は屋根板部３２の左右の両側方のケース１に夫々設け、前記開口部３５には該開口部３５を閉塞する蓋部材３６を、開口部３５の側方から着脱自在に取付け、前記蓋部材３６は、前記開口部３５より大きい面積の縦板部３７の外面側にハンドル３８を設けて構成し、前記各蓋部材３６の縦板部３７の内面に前記屋根板部３２の左屋根板部３３と右屋根板部３４の前縁に夫々固定した前取付板４５を固定状態に夫々取付けたバケットコンベアとしたものである。
請求項２の発明は、前記屋根板部３２の上方位置のベルト１１の上昇側ベルト２２の内面側には所定間隔をおいて上側前縦板部５５を設け、上側前縦板部５５はケース１側に固定状態に取付けたバケットコンベアとしたものである。
請求項３の発明は、前記左屋根板部３３と右屋根板部３４の前縁に夫々固定した前取付板４５を縦板部３７に固定状態に取付け、前取付板４５と上側前縦板部５５の左右側縁は前記ベルト１１の左右両縁より左右方向の外方に夫々位置する構成としたバケットコンベアとしたものである。
請求項４の発明は、前記左屋根板部３３と右屋根板部３４の何れか一方の上部には何れか他方の上部より上方に位置して他方の屋根板部の上縁を覆う延長部４８を設けたバケットコンベアとしたものである。
請求項５の発明は、前記左屋根板部３３と右屋根板部３４の後縁に夫々固定した後取付板４６を各縦板部３７に固定状態に取付け、後取付板４６の上縁には前側に傾斜する屈曲部４７を設けたバケットコンベアとしたものである。
請求項６の発明は、前記ケース１の下部の左右の両側には下側開口部６０を夫々設け、該下側開口部６０は前記ケース１の底板２０の両側方に開口するように夫々設け、各下側開口部６０には透明部材により形成した点検窓６２を有する下側蓋部材６１を着脱自在に取付けたバケットコンベアとしたものである。
【発明の効果】
【０００６】
請求項１の発明では、下側プーリ６を着脱することなく、蓋部材３６を外すだけで、下側プーリ６の側部周縁を開放でき、メンテナンスを容易にでき、左右の蓋部材３６に左屋根板部３３と右屋根板部３４とを夫々簡単に取り付けることができると共に、屋根板部３２の着脱を簡単にでき、また、屋根板部３２の取付支持構造を簡素にして、屋根板部３２の着脱を容易にできて、メンテナンスを容易にできる。
請求項２の発明では、バケット１０より穀粒が溢れる現象の発生が多いケース１下部部分で、ベルト１１の内側（裏側）に落下侵入するのを上側前縦板部５５が防止でき、ベルト１１と下側プーリ６との全体の穀粒噛み込み発生を抑制できる。
請求項３の発明では、屋根板部３２を蓋部材３６に取付ける前取付板４５を、ベルト１１の内側への穀粒侵入防止体として兼用構成にでき、ベルト１１と下側プーリ６との全体の穀粒噛み込み発生を抑制できる。
請求項４の発明では、左右に分割した左屋根板部３３と右屋根板部３４の何れか一方の下面と何れか他方の頂部との合わせ目に粉塵等の滞留を抑制できる。
請求項５の発明では、ベルト１１と屋根板部３２との接触を防止し、ベルト１１の損傷を防止して、ベルト１１の耐久性の低下を抑制できる。
請求項６の発明では、底板２０の側方に下側開口部６０と点検窓６２を設けているので、一層、メンテナンス作業を容易にすることができる。
【図面の簡単な説明】
【０００７】
【図１】バケットコンベアの概略側面図。
【図２】同正面図。
【図３】噛込み防止装置付近の概略斜視図。
【図４】同側面図。
【図５】蓋部材と屋根板部の装着状態斜視図。
【図６】噛込み防止装置付近の側面図。
【図７】下側蓋部材および下側蓋部材を外したケースの側面図。
【発明を実施するための形態】
【０００８】
本発明の一実施例を図面により説明すると、１はバケットコンベアＢのケースであり、前板２と後板３および左右側板４により形成し、ケース１内の上下位置には軸心が左右方向のプーリ５、６を夫々設け、プーリ５およびプーリ６にバケット１０を所定間隔をおいて複数取付けた無端状のベルト１１を掛け回す（図１）。
前記ケース１の上部にはモータ１２を設け、モータ１２により上側プーリ５と同軸に設けたプーリ（図示省略）を回転させ、ケース１の下方のホッパー１３の供給口１４からケース１の上部に設けた排出口１５の間上下に前記バケット１０を循環移動させる。
１６はホッパー１３の投入口、１７は供給口１４に向けて穀粒を案内する傾斜板である。
下側プーリ６の下方のケース１内には側面視円弧状または多角形状の底板２０を設ける。
【０００９】
前記下側プーリ６の上方で、前記ベルト１１の上昇側ベルト２２と下降側ベルト２３との間には、ベルト１１と下側プーリ６との間に穀粒が挟まれて破砕されるのを防止する噛込み防止装置２５を設ける。噛込み防止装置２５は、少なくとも、下側プーリ６の上方に下側プーリ６の取付軸２６の中間部が最も高く軸方向に低くなるように傾斜するように山型に設けた屋根板部３２を有して構成する（図２，図３）。
屋根板部３２はバケット１０により掬い上げた穀粒が溢れて落下するとき、ベルト１１の内側（裏側）に入ってベルト１１と下側プーリ６との間に挟まって破砕されるのを防止する。屋根板部３２は左屋根板部３３と右屋根板部３４とにより分割構成する（図５）。
図２に示したように、ベルト１１と下側プーリ６の左右幅は同一に形成し、ベルト１１と下側プーリ６の左右側縁よりも屋根板部３２の下端となる左右側縁を、左右方向の外方に夫々位置させ、ベルト１１および下側プーリ６の左右外側に穀粒が落下するように誘導し、ベルト１１と下側プーリ６との間に穀粒が挟まれるのを防止する（図２）。
【００１０】
噛込み防止装置２５は、屋根板部３２の左右の側方のケース１には開口部３５を夫々設け、該開口部３５を閉塞する蓋部材３６をケース１に着脱自在に取付ける。
そのため、蓋部材３６を外して開口部３５を開口させることにより、下側プーリ６周辺の掃除等のメンテナンスを容易にする。    
蓋部材３６は、開口部３５より大きい面積の縦板部３７にハンドル３８を設けて構成し、ボルト等の止着部材３９によりケース１に取付ける。
蓋部材３６の縦板部３７の内面には、前記噛込み防止装置２５の屋根板部３２を取付け、蓋部材３６を外すと、ケース１側より屋根板部３２を外せるように構成する。
屋根板部３２は、左屋根板部３３と右屋根板部３４とに左右に分割形成し、分割した左屋根板部３３と右屋根板部３４とを、左右夫々の蓋部材３６の縦板部３７の内面側に取付け、左右の蓋部材３６を外すと、左屋根板部３３と右屋根板部３４とに分割された状態で屋根板部３２をケース１から取り出すことができ、下側プーリ６の上方付近を含めた空間を開放する。
【００１１】
噛込み防止装置２５は、屋根板部３２の左屋根板部３３と右屋根板部３４とを左右の蓋部材３６に夫々に取付けて着脱するようにすればよく、その取付構成は任意であるが、一例を示すと、少なくとも、左屋根板部３３と右屋根板部３４の前縁に前取付板４５を夫々取付け、前取付板４５の外側縁を縦板部３７の内面に夫々固定する。
前取付板４５は左右の蓋部材３６に夫々設け、蓋部材３６をケース１に取付けると、左屋根板部３３と右屋根板部３４とは左右側から合わさって、山型状となって、屋根板部３２となる。
したがって、蓋部材３６は開口部３５の閉塞部材と屋根板部３２の取付支持部材とを兼用する。
また、蓋部材３６をケース１に取付けると、左右の前取付板４５は合わさって、一枚板状となって、ベルト１１の内側（裏側）に穀粒が侵入するのを防止する作用も期待する。
【００１２】
４６は左屋根板部３３と右屋根板部３４の後縁に固定した後取付板であり、後取付板４６の側縁を縦板部３７の内面に固定する。後取付板４６は左屋根板部３３と右屋根板部３４の取付強度を向上させる。
また、左右の前取付板４５および後取付板４６は蓋部材３６をケース１に取付けると、一部が重なって重なり部４９となる。
また、蓋部材３６および屋根板部３２と、開口部３５との関係は、図４のように、左屋根板部３３および右屋根板部３４と前取付板４５および後取付板４６とは、側面視において、開口部３５と重なるように配置し、左右の蓋部材３６を側方に引き抜くだけで、着脱可能に構成している。
また、左屋根板部３３および右屋根板部３４と前取付板４５および後取付板４６の下端部は、下側プーリ６の上面よりも所定間隔Ｔを置いた上方に位置させ、蓋部材３６の着脱の際の下側プーリ６との干渉を防止している。
後取付板４６の上縁には前側に傾斜する屈曲部４７を設け、屈曲部４７は下降するベルト１１との接触を抑制する。
【００１３】
そのため、前記蓋部材３６は、左右において開口部３５の開口面積や形状を相違させる等の手段により、反対側の開口部３５に装着できないようにしている。
左屋根板部３３と右屋根板部３４の何れか一方の上部は、何れか他方の上部より上方にまで位置するように延長させて延長部４８を形成し、延長部４８は他方の屋根板部の上縁を覆う位置まで延長させ、他方の屋根板部の上縁に粉塵が滞留するのを防止する。
左屋根板部３３と右屋根板部３４の夫々の下端と蓋部材３６の縦板部３７の内面との間には隙間５０を設け、左屋根板部３３と右屋根板部３４上に落下した穀粒が隙間５０から下方に落下する構成とする。
また、蓋部材３６の縦板部３７の内面側には、開口部３５に嵌合する膨出部５１を設け、膨出部５１を開口部３５に嵌合させることにより、ケース１の側板４の内面を平坦にしている。
また、前取付板４５および後取付板４６と、上昇側ベルト２２および下降側ベルト２３との間には、隙間５２を設け、前取付板４５および後取付板４６と、上昇側ベルト２２および下降側ベルト２３との接触を防止している。
【００１４】
屋根板部３２のベルト１１の上昇側ベルト２２の上方位置には噛込み防止装置２５の一部を構成する上側前縦板部５５を設ける。上側前縦板部５５は、左右方向の一枚の平板形状に形成し、上側前縦板部５５の側縁をケース１の側板４に固定状態に取付ける。
したがって、上側前縦板部５５の左右側縁は前記ベルト１１の左右両縁より左右方向の外方に夫々位置し、バケット１０から零れた穀粒がベルト１１の内側（裏側）に侵入するのを防止する作用を期待する。
噛込み防止装置２５は、ベルト１１の内側に侵入した穀粒を、屋根板部３２の左屋根板部３３と右屋根板部３４により下側プーリ６の左右側に振り分け案内して、下側プーリ６の外周面とベルト１１との間に挟まれるのを抑制しているが、屋根板部３２の他に上側前縦板部５５を屋根板部３２の上方に設けることにより、バケット１０から零れた穀粒がベルト１１の内側（裏側）に侵入することを抑制・防止する。
また、噛込み防止装置２５は、屋根板部３２と上側前縦板部５５とを有して構成するが、縦板状の上側前縦板部５５をケース１に固定し、屋根板部３２を蓋部材３６に取付けて着脱自在とすることにより、噛込み防止効果とメンテナンスの容易化を両立させている。
【００１５】
ケース１は、組立およびメンテナンスの容易化を考慮して、上下方向に複数のケース部５６に分割形成しており、複数のケース部５６のうちの最下部の下部ケース部５６の側板側板４に上側前縦板部５５を固定状態に取付ける。上側前縦板部５５の上端は下部ケース部５６の上端と略同じか低く設定し、上側前縦板部５５の下端は開口部３５の上縁と略同じか上方に位置させ、蓋部材３６および屋根板部３２の着脱の際の干渉を防止している。
前記バケット１０は、穀粒損傷防止の観点から底板２０に対して所定間隔の隙間Ｓをおいた上方を通過するように構成し、底板２０の上面上方位置のケース１の側板４には下側開口部６０を設け、下側開口部６０には下側蓋部材６１を着脱自在に取付ける。
そのため、下側蓋部材６１を外して下側開口部６０を開口させることにより、下側プーリ６および底板２０周辺の掃除等のメンテナンスを容易にする。
また、下側開口部６０の側方に位置する部分の下側蓋部材６１には透明部材を取付けてケース１内を視認する点検窓６２を設ける。
【００１６】
そのため、点検窓６２により、下側蓋部材６１を外すことなく下側プーリ６および底板２０周辺の点検することができ、メンテナンス作業を簡易化して、メンテナンス作業全体の容易化を図っている。
【００１７】
（実施形態の作用）
次に作用を述べる。
供給口１４から穀粒を張り込むと、穀粒は回転移動するバケット１０により掬われて上昇し、上部で放擲されて排出口より排出される。
下側プーリ６の上方で、ベルト１１の上昇側ベルト２２と下降側ベルト２３との間には、噛込み防止装置２５の屋根板部３２を設け、屋根板部３２は下側プーリ６の取付軸２６の中間部が最も高く軸方向（左右方向）に低く傾斜するように山型に形成しているので、ベルト１１と下側プーリ６との間に穀粒が挟まれて破砕されるのを防止する。
即ち、バケット１０により掬い上げた穀粒のうち一部が、上昇側ベルト２２と下降側ベルト２３との間の内側（裏側）に入ることがあるが、ベルト１１の内側に入った穀粒は山型の屋根板部３２により左右に振り分けられ、下側プーリ６の左右側を落下し、ベルト１１の内面と下側プーリ６の外面との間に挟まって破砕されるのを防止する。
【００１８】
ベルト１１と下側プーリ６の左右幅は夫々略同一に形成し、ベルト１１と下側プーリ６の左右側縁よりも屋根板部３２の下端となる左右側縁を、左右方向の外方に夫々位置させているので、ベルト１１の内側に入った穀粒は、ベルト１１および下側プーリ６の左右外側に落下するように屋根板部３２により左右に振り分けられて、下側プーリ６の左右側を落下する。
噛込み防止装置２５の屋根板部３２の左右の側方のケース１には、開口部３５を夫々設け、該開口部３５を閉塞する蓋部材３６をケース１に着脱自在に取付けているので、蓋部材３６を外して開口部３５を開口させることにより、ベルト１１やバケット１０の取付部の損傷度合い、粉塵等の溜まり具合の確認、虫発生の確認、および、下側プーリ６周辺の掃除等のメンテナンスを容易にする。
蓋部材３６は、開口部３５より大きい面積の縦板部３７にハンドル３８を設けて構成し、蓋部材３６の縦板部３７の内面には、前記噛込み防止装置２５の屋根板部３２を取付けているので、蓋部材３６を外すと、ケース１側から屋根板部３２を外せる。
【００１９】
そのため、屋根板部３２の掃除のメンテナンスを容易にすると共に、ケース１内の屋根板部３２を外せるので、屋根板部３２のあった部分の空間を大きく開放することができ、ケース１内のメンテナンスも容易にする。
屋根板部３２は、左屋根板部３３と右屋根板部３４とに左右に分割形成し、分割した左屋根板部３３と右屋根板部３４とを、左右夫々の蓋部材３６の縦板部３７の内面側に取付けているので、左右の蓋部材３６を外すと、左屋根板部３３と右屋根板部３４とに分割された状態で屋根板部３２をケース１から取り出すことができ、下側プーリ６の上方付近を含めた空間を開放する。
そのため、左右の蓋部材３６は開口部３５の閉塞部材として作用すると共に、屋根板部３２の支持部材としても兼用するので、屋根板部３２の着脱構成を簡素に実現する。
また、屋根板部３２は、左屋根板部３３と右屋根板部３４とに分割された状態で屋根板部３２をケース１から取り出せるので、ケース１を分解することなく、屋根板部３２の着脱を可能にでき、メンテナンスを容易にする。
【００２０】
蓋部材３６は、開口部３５より大きい面積の縦板部３７にハンドル３８を設けて構成し、ボルト等の止着部材３９によりケース１に取付けているので、止着部材３９を外すと、屋根板部３２の左屋根板部３３と右屋根板部３４とを開口部３５から引き抜くように蓋部材３６を外すと、蓋部材３６と屋根板部３２の取り外しが完了する。
少なくとも、屋根板部３２の左屋根板部３３と右屋根板部３４の前縁に前取付板４５を夫々取付け、前取付板４５の外側縁を縦板部３７の内面に夫々固定しているので、左屋根板部３３および右屋根板部３４と前取付板４５とを開口部３５から引き抜くようにして外す。
反対に、蓋部材３６をケース１に取付けると、左屋根板部３３と右屋根板部３４とは左右側から合わさって、山型状となって、屋根板部３２となる。
また、蓋部材３６をケース１に取付けると、左右の前取付板４５は合わさって、一枚板状となる構成としているので、左屋根板部３３および右屋根板部３４と前取付板４５とを開口部３５からケース１内に挿入すると、左右の前取付板４５は合わさって、ベルト１１の内側（裏側）に穀粒が落下するのを防止する作用も期待できる。
【００２１】
左屋根板部３３と右屋根板部３４の後縁には後取付板４６の前面を固定し、後取付板４６の側縁を縦板部３７の内面に夫々固定しているので、左屋根板部３３と右屋根板部３４は、前取付板４５と後取付板４６とにより蓋部材３６の縦板部３７にボックス状に取付けられ、支持強度を向上させられる。
また、蓋部材３６および屋根板部３２と、開口部３５との関係は、図４のように、左屋根板部３３および右屋根板部３４と前取付板４５および後取付板４６とは、側面視において、開口部３５と重なるように配置しているので、左右の蓋部材３６を側方に引き抜くだけで、左屋根板部３３および右屋根板部３４と前取付板４５および後取付板４６とを着脱できる。
また、左屋根板部３３および右屋根板部３４と前取付板４５および後取付板４６の下端部は、下側プーリ６の上面よりも所定間隔を置いた上方に位置させているので、蓋部材３６および屋根板部３２の着脱の際の下側プーリ６との干渉を防止する。
後取付板４６の上縁には前側に傾斜する屈曲部４７を設けているので、屈曲部４７は下降する下降側ベルト２３との接触を抑制する。
【００２２】
左屋根板部３３と右屋根板部３４の何れか一方の上部は、何れか他方の上部より上方にまで位置するように延長させて延長部４８を形成し、延長部４８は他方の屋根板部の上縁を覆う位置まで延長させているので、他方の屋根板部の上縁に粉塵が滞留するのを防止する。
左屋根板部３３と右屋根板部３４の夫々の下端と蓋部材３６の縦板部３７の内面との間には隙間５０を設けているので、左屋根板部３３と右屋根板部３４上に落下した穀粒は隙間５０から下方に落下する。
また、蓋部材３６の縦板部３７の内面側には、開口部３５に嵌合する膨出部５１を設けているので、蓋部材３６をケース１に装着すると、膨出部５１が開口部３５に嵌合してケース１の側板側板４の内面を平坦にする。
また、左右の前取付板４５および後取付板４６は蓋部材３６をケース１に取付けると、一部が重なって重なり部４９となるので、重なり部４９が製作誤差を吸収し、取付を容易にする。
【００２３】
屋根板部３２のベルト１１の上昇側ベルト２２の上方位置には噛込み防止装置２５の一部を構成する上側前縦板部５５を設け、上側前縦板部５５は、左右方向の一枚の平板形状に形成し、上側前縦板部５５の側縁をケース１の側板４に固定状態に取付けているので、上側前縦板部５５の左右側縁は前記ベルト１１の左右両縁より左右方向の外方に夫々位置し、バケット１０から零れた穀粒がベルト１１の内側（裏側）に侵入するのを防止する。
噛込み防止装置２５は、ベルト１１の内側に侵入した穀粒を、屋根板部３２の左屋根板部３３と右屋根板部３４により下側プーリ６の左右側に振り分け案内して、下側プーリ６の外周面とベルト１１との間に挟まれるのを抑制しているが、屋根板部３２の他に上側前縦板部５５を屋根板部３２の上方に設けているので、バケット１０から零れた穀粒がベルト１１の内側（裏側）に侵入することを抑制・防止する。
即ち、下降側ベルト２３のバケット１０は既に穀粒を放擲して空状態で下降するので、下降側ベルト２３の側からの穀粒の侵入はないが、バケット１０が底板２０上面で掬った穀粒が上昇中の振動によりバケット１０から溢れてベルト１１の内側（裏側）に侵入するので、蓋部材３６の前取付板４５と上側前縦板部５５とによりベルト１１の内側（裏側）への穀粒の侵入を防止して、効率よく、噛み込みを防止できる。
【００２４】
また、噛込み防止装置２５は、屋根板部３２と上側前縦板部５５とを有して構成するが、縦板状の上側前縦板部５５をケース１に固定し、屋根板部３２を蓋部材３６に取付けて着脱自在としているので、噛込み防止効果とメンテナンスの容易化を両立させる。
ケース１は、組立およびメンテナンスの容易化を考慮して、上下方向に複数のケース部５６に分割形成しており、複数のケース部５６のうちの最下部の下部ケース部５６の側板４に上側前縦板部５５を固定状態に取付け、上側前縦板部５５の上端は下部ケース部５６の上端と略同じか低く設定し、上側前縦板部５５の下端は開口部３５の上縁と略同じか上方に位置させているので、蓋部材３６および屋根板部３２の着脱の際の干渉を防止する。
バケット１０は、穀粒損傷防止の観点から底板２０に対して所定間隔の隙間Ｓをおいた上方を通過するように構成し、底板２０の上面上方位置のケース１の側板４には下側開口部６０を設け、下側開口部６０には下側蓋部材６１を着脱自在に取付けているので、下側蓋部材６１を外すと、ケース１の下側開口部６０を開口させ、下側プーリ６および底板２０周辺の掃除等のメンテナンスを容易にする。
【００２５】
また、下側開口部６０の側方に位置する部分の下側蓋部材６１には透明部材の点検窓６２を設けているので、点検窓６２によりケース１内を視認でき、下側蓋部材６１を外すことなく下側プーリ６および底板２０周辺の点検することができ、メンテナンス作業を簡易化して、メンテナンス作業全体の容易化を図っている。
【符号の説明】
【００２６】
１…ケース、２…前板、３…後板、４…側板、５，６…プーリ、１０…バケット、１１…ベルト、１２…モータ、１３…ホッパー、１４…供給口、１５…排出口、１６…投入口、１７…傾斜板、２０…底板、２２…上昇側ベルト、２３…下降側ベルト、２５…噛込み防止装置、２６…取付軸、３２…屋根板部、３３…左屋根板部、３４…右屋根板部、３６…蓋部材、３７…縦板部、３８……ハンドル、３９…止着部材、４５…前取付板、４６…後取付板、４７…屈曲部、４８…延長部、４９…重なり部、５０…隙間、５１…膨出部、５２…隙間、５５…上側前縦板部、５６…ケース部、６０…下側開口部、６１…下側蓋部材、６２…点検窓。
【図１】
0005897049.tif 000002
【図２】
0005897049.tif 000003
【図３】
0005897049.tif 000004
【図４】
0005897049.tif 000005
【図５】
0005897049.tif 000006
【図６】
0005897049.tif 000007
【図７】
0005897049.tif 000008